(57)【特許請求の範囲】
【請求項１】
単一電動モーター（３００）の回転軸（３１０）に、左右両側の偏心軸部（４１０、４２０）が互いに反対方向に位置するカム（４００）を軸設し、
前記カム（４００）の偏心軸部（４１０、４２０）に、それぞれポンプハウジング（５００）に設置される一対の第１、第２ダイヤフラム（５１０、５２０）の下側を連結設置し、カム（４００）が回転する際に上下に昇降するように連結し、
前記単一電動モーター（３００）が動作する際に、一対の第１、第２ダイヤフラム（５１０、５２０）が互いに反対方向に交互に昇降しながら、ポンプハウジング（５００）の上面に一体に連係設置される流体流路ボックス（６００）に備えられた第１、第２吸入チェックバルブ（６３１、６３２）及び第１、第２吐出チェックバルブ（６３３、６３４）により第１、第２吸入孔（６４１ｂ、６４１ｃ）及び第１、第２吐出孔（６４２ｂ、６４２ｃ）を開放または密閉し、流体を流体流入口（６４１ａ）から流入させるとともに流体吐出口（６４２ａ）から吐出させ、流体の吸入圧力と吐出圧力の同時作用による圧力相殺現象によって振動及び騒音を最大限低減するように構成され、
前記ポンプハウジング（５００）の上面に一体に連係設置される流体流路ボックス（６００）は、
前記ポンプハウジング（５００）の上面に連係設置され、底面に第１吸入流路（６１１ａ）及び第１吐出流路（６１１ｂ）が形成された第１ポンプ室（６１１）と第２吸入流路（６１２ａ）及び第２吐出流路（６１２ｂ）が形成された第２ポンプ室（６１２）とが備えられる下部ボディ（６１０）と、
前記下部ボディ（６１０）の上側に連係設置され、第１、第２吸入孔（６４１ｂ、６４１ｃ）を開閉するように第１、第２吸入チェックバルブ（６３１、６３２）が設置されるとともに一側に流体流入口（６４１ａ）が備えられ、且つ、上側が開口する吸入チェックバルブ取付室（６４１）と第１、第２吐出孔（６４２ｂ、６４２ｃ）を開閉するように第１、第２吐出チェックバルブ（６３３、６３４）が設置されるとともに一側に流体吐出口（６４２ａ）が備えられ、且つ、上側が開口する吐出チェックバルブ取付室（６４２）とを有し、前記吸入チェックバルブ取付室（６４１）が前記吐出チェックバルブ取付室（６４２）の一方の側部を囲うように湾曲して延びる形状をなしており、前記吸入チェックバルブ取付室（６４１）の一端に前記第１吸入チェックバルブ（６３１）を設置する一方、他端に前記第２吸入チェックバルブ（６３２）を設置する上部ボディ（６４０）と、
前記上部ボディ（６４０）の上側に連係設置され、上部を密閉する上部キャップ（６６０）と、
前記下部ボディ（６１０）と上部ボディ（６４０）との間に挿設され、吸入及び吐出される流体が吸入チェックバルブ取付室（６４１）と吐出チェックバルブ取付室（６４２）へ分離供給されるようにするとともに外部へ漏れないように気密の役目を担う下部パッド（６２０）と、
弾力性を有する１枚のシート形状をなし、前記上部ボディ（６４０）の上面全域を覆って前記吸入チェックバルブ取付室（６４１）の上側開口と前記吐出チェックバルブ取付室（６４２）の上側開口とを塞ぐとともに前記吸入チェックバルブ取付室（６４１）と前記吐出チェックバルブ取付室（６４２）とを仕切るように前記上部ボディ（６４０）と上部キャップ（６６０）との間に挿設され、吸入及び吐出される流体が吸入チェックバルブ取付室（６４１）と吐出チェックバルブ取付室（６４２）との間で互いに混入しないようにするとともに外部へ漏れないように気密の役目を担う上部パッド（６５０）とを含み、
前記上部キャップ（６６０）底面の前記吸入チェックバルブ取付室（６４１）に対応する位置には、下方に開口する凹入空間（６６１）が形成される一方、前記上部キャップ（６６０）底面の前記吐出チェックバルブ取付室（６４２）に対応する位置には、下方に開口する凹入空間（６６２）が形成され、前記吸入チェックバルブ取付室（６４１）と前記吐出チェックバルブ取付室（６４２）とに流体の吐出圧力及び吸入圧力が発生する際、上部パッド（６５０）における前記吸入チェックバルブ取付室（６４１）と前記吐出チェックバルブ取付室（６４２）とにそれぞれ対応する各領域が上下に弾力的に変形しながら圧力を相殺し、脈動防止効率が向上するように構成され、
前記第１及び第２吸入チェックバルブ（６３１、６３２）と前記第１及び第２吐出チェックバルブ（６３３、６３４）とは、前記第１吸入チェックバルブ（６３１）、前記第１吐出チェックバルブ（６３３）、前記第２吐出チェックバルブ（６３４）及び前記第２吸入チェックバルブ（６３２）の順に前記回転軸（３１０）の先端側から前記回転軸（３１０）に沿って配設され、
前記第１ダイヤフラム（５１０）は、前記第１吸入チェックバルブ（６３１）及び前記第１吐出チェックバルブ（６３３）に対応する位置で、且つ、前記第１吸入チェックバルブ（６３１）及び前記第１吐出チェックバルブ（６３３）から等しい距離に位置しており、
前記第２ダイヤフラム（５２０）は、前記第２吸入チェックバルブ（６３２）及び前記第２吐出チェックバルブ（６３４）に対応する位置で、且つ、前記第２吸入チェックバルブ（６３２）及び前記第２吐出チェックバルブ（６３４）から等しい距離に位置していることを特徴とする、デュアルポンピング流体ポンプ。
【発明の詳細な説明】
【技術分野】
【０００１】
本発明は、デュアルポンピング流体ポンプに係り、特に、単一電動モーターの回転によって、ポンプハウジングに設置される一対の第１、第２ダイヤフラムを互いに反対方向に交互に昇降させながら、ポンプハウジングの上面に一体に連係設置される流体流路ボックスに備えられた第１、第２吸入チェックバルブ及び第１、第２吐出チェックバルブにより第１、第２吸入孔及び第１、第２吐出孔を開放または密閉し、流体を流体流入口から流入させるとともに流体吐出口から吐出させるものであって、流体の吸入圧力と吐出圧力の同時作用による圧力相殺現象によって振動及び騒音を大きく低減するようにした、デュアルポンピング流体ポンプに関する。
【背景技術】
【０００２】
ダイヤフラムを用いた流体ポンプは、モーターの回転運動をカムなどの機構を介してダイヤフラムの直線往復運動に変換させることにより流体をポンピングする装置であって、吐出流量の変動が少ないため、各種液相または気相の流体などの注入に一般的に使用されている。
【０００３】
韓国特許登録番号第１０−０２９１１６１号には、ダイヤフラムを用いた流体ポンプが開示されている。
【０００４】
この文献に開示されている内容をみると、次のとおりである。図１及び図２は、従来のダイヤフラムを用いた流体ポンプの一例を説明するための概略図である。従来のダイヤフラムを用いた流体ポンプは、ポンプヘッド１００の開口部に、ダイヤフラム１１０がサポートリング１２０に圧着され設置されポンプ室１３０を形成し、胴体１０２の下部及び上部には、吸入孔１０５及び吐出孔１０６が形成されている。
【０００５】
吸入孔１０５及び吐出孔１０６は、それぞれチェックボール１４０によって開放または閉鎖されるので、ポンプヘッド１００の吸入孔１０５の吸入端部及び吐出側コネクタ１６０の端部には、図３に示すような十字溝状の開放側弁座１４１が形成されており、ポンプヘッド１００の吐出孔１０６の吐出端部及び吸入側コネクタ１５０の端部には、テーパー型の閉鎖側弁座１４２が形成されている。
【０００６】
次に、このように構成される従来の一般なダイヤフラムポンプの動作を概略的に説明する。
【０００７】
ポンプを駆動させるためのモーター（図示せず）を駆動させると、モーターの回転運動は偏心カムなどの機構によってダイヤフラムシャフト１１１の往復運動に変わり、ダイヤフラム１１０は前後進動作する。
【０００８】
図１は、ダイヤフラムが後進動作している状態、すなわち吸入行程を示し、図２はダイヤフラムが前進動作している状態、すなわち吐出行程を示している。
【０００９】
吸入行程の際には、ポンプ室内の負圧によって吸入側及び吐出側のチェックボール１４０が全てポンプヘッド１００の中心方向に移動するが、ポンプヘッド１００の吸入孔１０５の吸入端部には開放側弁座１４１が形成されており、流体が十字溝に沿ってポンプ室１３０内に吸入され、吐出孔１０６はチェックボールによって閉鎖される。
【００１０】
次の吐出行程では、チェックボール１４０が全てポンプヘッド１００の外側方向に移動するので、吸入孔１０５は閉鎖され、吐出孔１０６のみ開放されて、ポンプ室内の流体が吐出側コネクタ１６０の十字溝に沿って外部へ吐出される。
【００１１】
しかし、上述したような従来のダイヤフラムポンプは、長時間にわたって平均吐出量がほぼ一定であるという長所を有するが、ポンピング作用が吸入行程と吐出行程に区分され断続的に行われるので、図４に示すように、吐出される流量に脈動現象が発生するという根本的な問題点を抱えていた。
【００１２】
このような吐出流量の脈動を防止するために、従来にも、ポンプを二台以上並列に接続し、その行程を異にすることにより脈動を低減する方式（図５参照）、または図６に示すように流体管路の中間にエアチャンバー２００を設置し、吐出行程中にはエアチャンバー２００内の空気が圧縮されることにより吐出配管２１０側への吐出量を減少させ、吸入行程中には圧縮された空気の膨張力によって、吐出行程中にエアチャンバー２００に貯蔵されていた流体を吐出配管２１０側へ吐出させるようにする方式が使用されていた。未説明である符号２２０は、流体の圧力が所定値以上となる場合に開放されることにより、高圧流体がリターンパイプ２３０を介して回収されるようにするための安全弁を示し、２０１は圧力計を示す。
【００１３】
しかし、ポンプを二台以上並列に接続する方式は、その効果に比べて設置費用が急激に上昇するという問題点があり、流体管路の中間にエアチャンバーを設置する方式は、設置作業が容易でないうえ、ポンプのコネクタ及び流体管路がチューブタイプである場合には設置が困難であった。
【００１４】
さらに、ポンプ動作中のエアチャンバーの振動によって、その連結部が破損する場合が頻繁にあり、ポンプからの吐出流量自体の脈動を根本的に除去したものではないため、振動や騒音が依然として大きく発生していた。
【発明の概要】
【発明が解決しようとする課題】
【００１５】
本発明は、上述したような従来の諸般問題点に鑑みてなされたもので、その目的は、従来の流体ポンプとは異なり、単一電動モーターの回転によって、ポンプハウジングに設置される一対の第１、第２ダイヤフラムを互いに反対方向に交互に昇降させながら、ポンプハウジングの上面に一体に連係設置される流体流路ボックスに備えられた第１、第２吸入チェックバルブ及び第１、第２吐出チェックバルブにより第１、第２吸入孔及び第１、第２吐出孔を開放または密閉し、流体を流体流入口から流入させるとともに流体吐出口から吐出させるように構造を改善することにより、流体の吸入圧力と吐出圧力の同時作用による圧力相殺現象により振動及び騒音を大きく低減するようにすることはもとより、流体吸入チェックバルブ及び流体吐出チェックバルブが備えられる流体流路ボックスに脈動防止手段をさらに備え、流体の吐出圧力及び吸入圧力が発生する際に、脈動防止手段を構成する下部パッドが上下に弾力的に変形しながら圧力を相殺することで、脈動が一層効果的に防止されるようにした、高品位かつ高品質なデュアルポンピング流体ポンプを提供することにより、これを各種製品に装着して静かで楽な気持ちで使用することができるようにすることにある。
【課題を解決するための手段】
【００１６】
上記の目的を達成するために、本発明のデュアルポンピング流体ポンプは、基本的に、電動モーターの回転軸に、左右両側の偏心軸部が互いに反対方向に位置するカムを軸設し、前記カムの偏心軸部に、それぞれポンプハウジングに設置される一対の第１、第２ダイヤフラムの下側を連結設置し、カムが回転する際に上下に昇降するように連結し、前記電動モーターが動作する際に一対の第１、第２ダイヤフラムが互いに反対方向に交互に昇降しながら、ポンプハウジングの上面に連係設置される流体流路ボックスに備えられた第１、第２吸入チェックバルブ及び第１、第２吐出チェックバルブにより第１、第２吸入孔及び第１、第２吐出孔を開放または密閉し、流体を流体流入口から流入させるとともに流体吐出口から吐出させ、流体の吸入圧力と吐出圧力の同時作用による圧力相殺現象によって振動及び騒音を最大限低減するように構成され、前記ポンプハウジングの上面に一体に連係設置される流体流路ボックスは、前記ポンプハウジングの上面に連係設置され、底面に第１吸入流路及び第１吐出流路が形成された第１ポンプ室と第２吸入流路及び第２吐出流路が形成された第２ポンプ室とが備えられる下部ボディと、前記下部ボディの上側に連係設置され、第１、第２吸入孔を開閉するように第１、第２吸入チェックバルブが設置されるとともに一側に流体流入口が備えられ、且つ、上側が開口する吸入チェックバルブ取付室と第１、第２吐出孔を開閉するように第１、第２吐出チェックバルブが設置されるとともに一側に流体吐出口が備えられ、且つ、上側が開口する吐出チェックバルブ取付室とを有し、前記吸入チェックバルブ取付室が前記吐出チェックバルブ取付室の一方の側部を囲うように湾曲して延びる形状をなしており、前記吸入チェックバルブ取付室の一端に前記第１吸入チェックバルブを設置する一方、他端に前記第２吸入チェックバルブを設置する上部ボディと、前記上部ボディの上側に連係設置され、上部を密閉する上部キャップと、前記下部ボディと上部ボディとの間に挿設され、吸入及び吐出される流体が吸入チェックバルブ取付室と吐出チェックバルブ取付室へ分離供給されるようにするとともに外部へ漏れないように気密の役目を担う下部パッドと、弾力性を有する１枚のシート形状をなし、前記上部ボディの上面全域を覆って前記吸入チェックバルブ取付室の上側開口と前記吐出チェックバルブ取付室の上側開口とを塞ぐとともに前記吸入チェックバルブ取付室と前記吐出チェックバルブ取付室とを仕切るように前記上部ボディと上部キャップとの間に挿設され、吸入及び吐出される流体が吸入チェックバルブ取付室と吐出チェックバルブ取付室との間で互いに混入しないようにするとともに外部へ漏れないように気密の役目を担う上部パッドとを含み、前記上部キャップ底面の前記吸入チェックバルブ取付室に対応する位置には、下方に開口する凹入空間が形成される一方、前記上部キャップ底面の前記吐出チェックバルブ取付室に対応する位置には、下方に開口する凹入空間が形成され、前記吸入チェックバルブ取付室と前記吐出チェックバルブ取付室とに流体の吐出圧力及び吸入圧力が発生する際、上部パッドにおける前記吸入チェックバルブ取付室と前記吐出チェックバルブ取付室とにそれぞれ対応する各領域が上下に弾力的に変形しながら圧力を相殺し、脈動防止効率が向上するように構成され、前記第１及び第２吸入チェックバルブと前記第１及び第２吐出チェックバルブとは、前記第１吸入チェックバルブ、前記第１吐出チェックバルブ、前記第２吐出チェックバルブ及び前記第２吸入チェックバルブの順に前記回転軸の先端側から前記回転軸に沿って配設され、前記第１ダイヤフラムは、前記第１吸入チェックバルブ及び前記第１吐出チェックバルブに対応する位置で、且つ、前記第１吸入チェックバルブ及び前記第１吐出チェックバルブから等しい距離に位置しており、前記第２ダイヤフラムは、前記第２吸入チェックバルブ及び前記第２吐出チェックバルブに対応する位置で、且つ、前記第２吸入チェックバルブ及び前記第２吐出チェックバルブから等しい距離に位置していることを特徴とする。
【発明の効果】
【００１７】
本発明は、単一電動モーターの回転軸に軸設されたカムが回転する際に、前記カムの左右両側に形成された偏心軸部に連係設置された一対の第１、第２ダイヤフラムが互いに反対方向に交互に昇降しながら、ポンプハウジングの上面に一体に連係設置される流体流路ボックスに備えられた第１、第２吸入チェックバルブ及び第１、第２吐出チェックバルブにより第１、第２吸入孔及び第１、第２吐出孔を開放または密閉し、流体を流体流入口から流入させるとともに流体吐出口から吐出させるものであって、流体の吸入圧力と吐出圧力の同時作用による圧力相殺現象によって振動及び騒音を大きく低減する。
【００１８】
これに加えて本発明は、上部キャップの底面には、吐出チェックバルブ取付室と吸入チェックバルブ取付室に対応する位置に凹入空間がさらに形成されているので、吐出チェックバルブ取付室及び吸入チェックバルブ取付室への流体の吐出圧力及び吸入圧力が発生する際、下部パッドが上下に弾力的に変形しながら圧力を相殺するので、一層効果的に脈動が防止される。
【００１９】
したがって、本発明のデュアルポンピング流体ポンプが装着された各種製品を使用する場合、騒音及び振動がほぼないため、静かで楽な気持ちで長い間故障なく便利に使用することができる。
【図面の簡単な説明】
【００２０】
【図１】従来のダイヤフラムを用いた流体ポンプの構造及び動作を説明するための要部の断面図である。
【図２】従来のダイヤフラムを用いた流体ポンプの構造及び動作を説明するための要部の断面図である。
【図３】十字状の開放側弁座の平面図である。
【図４】吐出される流量に発生する脈動現象を説明するためのグラフである。
【図５】脈動を減少させた場合の吐出流量の形態を示すグラフである。
【図６】従来の流体管路の中間にエアチャンバー及び安全弁が設置されている例を示す概略図である。
【図７】本発明のデュアルポンピング流体ポンプを示す全体分解斜視図である。
【図８】本発明のデュアルポンピング流体ポンプのダイヤフラムの連結状態を示す一部分解斜視図である。
【図９】本発明のデュアルポンピング流体ポンプを示す全体組立状態図である。
【図１０】本発明のデュアルポンピング流体ポンプの動作状態を説明するための組立状態側断面図である。
【発明を実施するための形態】
【００２１】
以下、本発明の実施形態について添付図面を参照しながら詳細に説明する。以下で説明される実施形態は、本発明の理解を助けるために例示的に示すものであり、本発明はここで説明される実施形態とは異なって多様に変形実施できることが理解されるべきである。なお、本発明を説明するにあたり、関連する公知の機能あるいは構成要素に関する具体的な説明が本発明の要旨を無駄に不明確にするおそれがあると判断した場合、その詳細な説明及び具体的な図示は省略する。また添付図面は、発明の理解を助けるため、実際の縮尺通りに図示されずに一部構成要素の寸法は強調して図示されてもよい。
【００２２】
本発明のデュアルポンピング流体ポンプは、添付の図７から図１０に示すように、ポンプハウジング５００の一側面に単一電動モーター３００が結合されているが、このポンプハウジングの内部に電動モーター３００の回転軸３１０が内設されている。
【００２３】
前記回転軸３１０には、カム４００がボルト４０１などの固定手段によって軸設されているが、このカム４００の左右両側には偏心軸部４１０、４２０が互いに反対方向に形成されている。
【００２４】
また、前記カム４００の偏心軸部４１０、４２０には、それぞれポンプハウジング５００に設置される一対の第１、第２ダイヤフラム５１０、５２０の下側が連結設置され、カム４００の回転の際に上下に交互に昇降する。
【００２５】
一方、第１、第２ダイヤフラム５１０、５２０が設置されたポンプハウジング５００の上面には、それぞれ第１、第２吸入孔６４１ｂ、６４１ｃを開閉する第１、第２吸入チェックバルブ６３１、６３２、及び第１、第２吐出孔６４２ｂ、６４２ｃを開閉する第１、第２吐出チェックバルブ６３３、６３４が備えられた流体流路ボックス６００が連係設置されており、前記単一電動モーター３００が動作すると、一対の第１、第２ダイヤフラム５１０、５２０が互いに反対方向に交互に昇降しながら、ポンプハウジング５００の上面に連係設置される流体流路ボックス６００に備えられた第１、第２吸入チェックバルブ６３１、６３２及び第１、第２吐出チェックバルブ６３３、６３４を用いてそれぞれ第１、第２吸入孔６４１ｂ、６４１ｃ及び第１、第２吐出孔６４２ｂ、６４２ｃを開放または密閉し、流体を流体流入口６４１ａから流入させるとともに流体吐出口６４２ａから吐出させるようにすることで、流体の吸入圧力と吐出圧力の同時作用による圧力相殺現象によって振動及び騒音を最大限低減するように構成される。
【００２６】
ここで、本発明は、前記カム４００の偏心軸部４１０、４２０に、ポンプハウジング５００に設置される一対の第１、第２ダイヤフラム５１０、５２０を連結する際に、それぞれカム４００の偏心軸部４１０、４２０にベアリング４３１、４３２を用いて上下作動アーム４３０、４４０を軸設した後、前記それぞれの上下作動アーム４３０、４４０の上端を第１、第２ダイヤフラムの下端にボルト締めして連結した。
【００２７】
一方、前記ポンプハウジング５００の上面に連係設置される流体流路ボックス６００は、前記ポンプハウジング５００の上面に連係設置され、底面に第１吸入流路６１１ａ及び第１吐出流路６１１ｂが形成された第１ポンプ室６１１と第２吸入流路６１２ａ及び第２吐出流路６１２ｂが形成された第２ポンプ室６１２とが同時に備えられる下部ボディ６１０と、前記下部ボディ６１０の上側に連係設置され、第１、第２吸入孔６４１ｂ、６４１ｃを開閉するように第１、第２吸入チェックバルブ６３１、６３２が設置されるとともに一側に流体流入口６４１ａが備えられる吸入チェックバルブ取付室６４１と第１、第２吐出孔６４２ｂ、６４２ｃを開閉するように第１、第２吐出チェックバルブ６３３、６３４が設置されるとともに一側に流体吐出口６４２ａが備えられる吐出チェックバルブ取付室６４２とを有する上部ボディ６４０と、前記上部ボディ６４０の上側に連係設置され上部を密閉する上部キャップ６６０と、前記下部ボディ６１０と上部ボディ６４０との間に挿設され吸入及び吐出される流体が吸入チェックバルブ取付室６４１と吐出チェックバルブ取付室６４２へ分離供給されるようにするとともに外部へ漏れないように気密の役目を担う下部パッド６２０と、前記上部ボディ６４０と上部キャップ６６０との間に挿設され吸入及び吐出される流体が吸入チェックバルブ取付室６４１と吐出チェックバルブ取付室６４２との間で互いに混入しないようにするとともに外部へ漏れないように気密の役目を担う上部パッド６５０とを含んで構成される。
【００２８】
一方、本発明は、前記上部キャップ６６０の底面には、吸入チェックバルブ取付室６４１と吐出チェックバルブ取付室６４２に対応する位置に凹入空間６６１、６６２をさらに形成することにより、吸入チェックバルブ取付室６４１と吐出チェックバルブ取付室６４２へ流体の吐出圧力及び吸入圧力が発生する際、上部パッド６５０が上下に弾力的に変形しながら圧力を相殺し、脈動がさらに効果的に防止されるように構成した。
【００２９】
以下、上記の如く構成される本発明のデュアルポンピング流体ポンプの使用状態を説明する。
【００３０】
まず、単一電動モーター３００を稼動させると、回転軸３１０が回転し、前記回転軸３１０に軸設されたカム４００も回転する。
【００３１】
すると、前記カム４００の左右両側には互いに反対方向に偏心軸部４１０、４２０が形成されており、この偏心軸部４１０、４２０にはそれぞれベアリング４３１、４３２を用いて上下作動アーム４３０、４４０が軸設されており、この上下作動アーム４３０、４４０はそれぞれ第１、第２ダイヤフラム５１０、５２０の下端に連結されているので、第１ダイヤフラム５１０が下降しながら第１ポンプ室６１１に吸入圧が発生すると、吸入チェックバルブ取付室６４１の底面に設置された第１吸入チェックバルブ６３１が開放されながら、流体流入口６４１ａから流入した外部流体が第１吸入孔６４１ｂと第１吸入流路６１１ａを介して第１ポンプ室６１１へ吸入され、前記第２ダイヤフラム５２０が昇降しながら第２ポンプ室６１２に吐出圧が発生すると、第２吐出流路６１２ｂを介して流体が供給され第２吐出チェックバルブ６３４が開放されながら、第２吐出孔６４２ｃを介して第２ポンプ室６１２の流体が吐出チェックバルブ取付室６４２へ圧送されるとともに、これに備えられる流体吐出口６４２ａを介して外部へ吐出される。
【００３２】
次に、カム４００が回転し続けるので、上記と逆に、前記下降していた第１ダイヤフラム５１０が昇降しながら第１ポンプ室６１１に吐出圧が発生すると、第１吐出流路６１１ｂを介して流体が供給され第１吐出チェックバルブ６３３が開放されながら、第１吐出孔６４２ｂを介して第１ポンプ室６１１の流体が吐出チェックバルブ取付室６４２へ圧送されるとともにこれに備えられる流体吐出口６４２ａを介して外部へ吐出され、前記昇降していた第２ダイヤフラム５２０が下降しながら第２ポンプ室６１２に吸入圧が発生すると、吸入チェックバルブ取付室６４１の底面に設置された第２吸入チェックバルブ６３２が開放されながら、流体流入口６４１ａに流入した外部流体が第２吸入孔６４１ｃと第２吸入流路６１２ａを介して第２ポンプ室６１２へ吸入される。
【００３３】
このように、本発明のデュアルポンピング流体ポンプは、前記単一電動モーター３００の回転軸３１０に軸設されたカム４００が回転する際、前記カム４００の左右両側に形成された偏心軸部４１０、４２０に連係設置された一対の第１、第２ダイヤフラム５１０、５２０が、互いに反対方向に交互に昇降しながら、ポンプハウジング５００の上面に連係設置される流体流路ボックス６００に備えられた第１、第２吸入チェックバルブ６３１、６３２及び第１、第２吐出チェックバルブ６３３、６３４により第１、第２吸入孔６４１ｂ、６４１ｃ及び第１、第２吐出孔６４２ｂ、６４２ｃを開放または密閉し、流体流入口６４１ａを介して流入した流体を流体吐出口６４２ａから吐出させるものであって、流体の吸入圧力と吐出圧力の同時作用による圧力相殺現象によって振動及び騒音を最大限低減する。
【００３４】
さらに本発明は、前記上部キャップ６６０の底面には、吸入チェックバルブ取付室６４１と吐出チェックバルブ取付室６４２に対応する位置に凹入空間６６１、６６２がさらに形成されているので、吸入チェックバルブ取付室６４１と吐出チェックバルブ取付室６４２へ流体の吸入圧力及び吐出圧力が発生する際、下部パッド６２０が上下に弾力的に変形しながら圧力を相殺するので、脈動がさらに効果的に防止される。
【００３５】
したがって、本発明のデュアルポンピング流体ポンプが装着された各種製品を使用する場合、騒音と振動がほぼないため、静かで楽な気持ちで長い間故障なく便利に使用することができる。
【００３６】
以上の如く、本発明は、例として限定された実施形態と図面によって説明されたが、この実施形態に限定されず、本発明の属する技術分野における通常の知識を有する者によって、本発明の技術思想と下記に記載される特許請求の範囲の均等範囲内で多様な修正及び変形が可能であることはもちろんである。
【産業上の利用可能性】
【００３７】
本発明のデュアルポンピング流体ポンプは、単一電動モーターの回転軸に軸設されたカムが回転する際、前記カムの左右両側に形成された偏心軸部に連係設置された一対の第１、第２ダイヤフラムが互いに反対方向に交互に昇降しながら、ポンプハウジングの上面に一体に連係設置される流体流路ボックスに備えられた第１、第２吸入チェックバルブ及び第１、第２吐出チェックバルブにより第１、第２吸入孔及び第１、第２吐出孔を開放または密閉し、流体を流体流入口から流入させるとともに流体吐出口から吐出させるものであって、流体の吸入圧力と吐出圧力の同時作用による圧力相殺現象によって振動及び騒音を大きく低減する。
【００３８】
また、これに加えて本発明は、上部キャップの底面には、吐出チェックバルブ取付室と吸入チェックバルブ取付室に対応する位置に凹入空間がさらに形成されているので、吐出チェックバルブ取付室及び吸入チェックバルブ取付室への流体の吐出圧力及び吸入圧力が発生する際に、下部パッドが上下に弾力的に変形しながら圧力を相殺するため、一層効果的に脈動が防止される。
【００３９】
したがって、本発明のデュアルポンピング流体ポンプが装着された各種の製品を使用する場合、騒音及び振動がほぼなく、静かで楽な気持ちで長い間故障なく便利に使用することができるため、特に家庭用酸素水発生器や水素水発生器などに広く活用できる。
【図１】
0006759334.tif 000002
【図２】
0006759334.tif 000003
【図３】
0006759334.tif 000004
【図４】
0006759334.tif 000005
【図５】
0006759334.tif 000006
【図６】
0006759334.tif 000007
【図７】
0006759334.tif 000008
【図８】
0006759334.tif 000009
【図９】
0006759334.tif 000010
【図１０】
0006759334.tif 000011